(57)【要約】  第一の基地局装置と第二の基地局装置とが複数セルを介して端末装置と通信を行う無線通信システムであって、第一の基地局装置は、端末装置が第一の基地局装置に対して間欠受信動作を実行するための第一の間欠受信パラメータを第二の基地局装置に通知し、第二の基地局装置は、第一の間欠受信パラメータに基づいて、端末装置が第二の基地局装置に対して間欠受信動作を実行するための第二の間欠受信パラメータを決定する。これにより、デュアルコネクト時に移動局装置の間欠受信動作を効率良く動作させる。
2014208622.tif 000002
【特許請求の範囲】
【請求項１】
第一の基地局装置と第二の基地局装置とが複数セルを介して端末装置と通信を行う無線通信システムであって、
前記第一の基地局装置は、前記端末装置が前記第一の基地局装置に対して間欠受信動作を実行するための第一の間欠受信パラメータを前記第二の基地局装置に通知し、
前記第二の基地局装置は、前記第一の間欠受信パラメータに基づいて、前記端末装置が前記第二の基地局装置に対して間欠受信動作を実行するための第二の間欠受信パラメータを決定する、無線通信システム。
【請求項２】
請求項１記載の無線通信システムであって、
前記第二の基地局装置は、前記第二の間欠受信パラメータを前記第一の基地局装置に通知する、無線通信システム。
【請求項３】
請求項２記載の無線通信システムであって、
前記第一の基地局装置は、前記端末装置に前記第一の間欠受信パラメータおよび前記第二の間欠受信パラメータを通知し、
前記端末装置は、前記第一の間欠受信パラメータおよび前記第二の間欠受信パラメータを用いて、前記第一の基地局装置および前記第二の基地局装置の制御チャネルを周期的に監視し、
前記第一の基地局装置の制御チャネルで自端末装置宛てのデータを検出した場合、前記第一の基地局装置に対応する前記制御チャネルの監視期間を延長し、
前記第二の基地局装置の制御チャネルで自端末装置宛てのデータを検出した場合、前記第二の基地局装置に対応する前記制御チャネルの監視期間を延長する、無線通信システム。
【請求項４】
請求項３記載の無線通信システムであって、
前記第二の基地局装置は、前記第一の基地局装置と前記第二の基地局装置が同期していないことを考慮して、第二の間欠受信パラメータの間欠受信開始オフセットを決定する、無線通信システム。
【請求項５】
請求項４記載の無線通信システムであって、
前記第二の基地局装置は、第二の間欠受信パラメータの間欠受信周期を第一の間欠受信パラメータの間欠受信周期のｎ倍または１／ｎ倍に設定する、無線通信システム。
【請求項６】
第一の基地局装置とともに複数セルを介して端末装置と通信を行う基地局装置であって、
前記第一の基地局装置から前記端末装置が前記第一の基地局装置に対して間欠受信動作を実行するための第一の間欠受信パラメータを受信し、
前記第一の間欠受信パラメータに基づいて、前記端末装置が自基地局装置に対して間欠受信動作を実行するための第二の間欠受信パラメータを決定する、基地局装置。
【請求項７】
請求項６記載の基地局装置であって、
前記第一の基地局装置と自基地局装置が同期していないことを考慮して、第二の間欠受信パラメータの間欠受信開始オフセットを決定する、基地局装置。
【請求項８】
請求項７記載の基地局装置であって、
第二の間欠受信パラメータの間欠受信周期を第一の間欠受信パラメータの間欠受信周期のｎ倍または１／ｎ倍に設定する、基地局装置。
【請求項９】
第一の基地局装置および第二の基地局装置と複数セルを介して通信を行う端末装置であって、
前記第一の基地局装置から間欠受信パラメータを受信し、
前記間欠受信パラメータを用いて、前記第一の基地局装置および前記第二の基地局装置の制御チャネルを周期的に監視し、
前記第一の基地局装置の制御チャネルで自端末装置宛てのデータを検出した場合、前記第一の基地局装置に対応する前記制御チャネルの監視期間を延長し、
前記第二の基地局装置の制御チャネルで自端末装置宛てのデータを検出した場合、前記第二の基地局装置に対応する前記制御チャネルの監視期間を延長する、端末装置。
【請求項１０】
第一の基地局装置と第二の基地局装置とが複数セルを介して端末装置と通信を行う無線通信システムの無線通信方法であって、
前記第一の基地局装置は、前記端末装置が前記第一の基地局装置に対して間欠受信動作を実行するための第一の間欠受信パラメータを前記第二の基地局装置に通知するステップと、
前記第二の基地局装置は、前記第一の間欠受信パラメータに基づいて、前記端末装置が前記第二の基地局装置に対して間欠受信動作を実行するための第二の間欠受信パラメータを決定するステップと、
前記第二の間欠受信パラメータを前記第一の基地局装置に通知するステップとを少なくとも含む、無線通信方法。
【請求項１１】
第一の基地局装置とともに複数セルを介して端末装置と通信を行う基地局装置に適用される集積回路であって、
前記第一の基地局装置から前記端末装置が前記第一の基地局装置に対して間欠受信動作を実行するための間欠受信パラメータを受信する手段と、
前記間欠受信パラメータにもとづく前記端末装置の間欠受信動作を考慮して、前記端末装置に対する下りリンクおよび上りリンクのスケジューリングを行う手段を有する、集積回路。
【請求項１２】
第一の基地局装置とともに複数セルを介して端末装置と通信を行う基地局装置に適用される集積回路であって、
前記第一の基地局装置から前記端末装置が前記第一の基地局装置に対して間欠受信動作を実行するための第一の間欠受信パラメータを受信する手段と、
前記第一の間欠受信パラメータに基づいて、前記端末装置が自基地局装置に対して間欠受信動作を実行するための第二の間欠受信パラメータを決定する手段を有する、集積回路。
【請求項１３】
第一の基地局装置および第二の基地局装置と複数セルを介して通信を行う端末装置に適用される集積回路であって、
前記第一の基地局装置から間欠受信パラメータを受信する手段と、
前記間欠受信パラメータを用いて、前記第一の基地局装置および前記第二の基地局装置の制御チャネルを周期的に監視する手段と、
前記第一の基地局装置の制御チャネルで自端末装置宛てのデータを検出した場合、前記第一の基地局装置に対応する前記制御チャネルの監視期間を延長する手段と、
前記第二の基地局装置の制御チャネルで自端末装置宛てのデータを検出した場合、前記第二の基地局装置に対応する前記制御チャネルの監視期間を延長する手段を有する、集積回路。
【発明の詳細な説明】
【技術分野】
【０００１】
本発明は、無線通信システム、基地局装置、端末装置、無線通信方法および集積回路に関する。
本願は、２０１３年６月２６日に、日本に出願された特願２０１３−１３３４０２号に基づき優先権を主張し、その内容をここに援用する。
【背景技術】
【０００２】
３ＧＰＰ（3rd Generation Partnership Project）では、Ｗ−ＣＤＭＡ方式が第三世代セルラー移動通信方式として標準化され、サービスが行われている。また、通信速度を更に上げたＨＳＤＰＡも標準化され、サービスが行われている。【０００３】
一方、３ＧＰＰでは、第三世代無線アクセスの進化（Evolved Universal Terrestrial Radio Access；以下、「EUTRA」と呼称する。）の標準化も行なわれ、サービスが開始されている。ＥＵＴＲＡの下りリンクの通信方式として、マルチパス干渉に強く、高速伝送に適したＯＦＤＭ（Orthogonal Frequency Division Multiplexing）方式が採用されている。また、上りリンクの通信方式として、移動局装置のコストと消費電力を考慮し、送信信号のピーク電力対平均電力比ＰＡＰＲ（Peak to Average Power Ratio）を低減できるシングルキャリア周波数分割多重方式ＳＣ−ＦＤＭＡ（Single Carrier-Frequency Division Multiple Access）のＤＦＴ（Discrete Fourier Transform（離散フーリエ変換））−ｓｐｒｅａｄ  ＯＦＤＭ方式が採用されている。【０００４】
また、３ＧＰＰでは、ＥＵＴＲＡの更なる進化のＡｄｖａｎｃｅｄ−ＥＵＴＲＡの議論も開始されている。Ａｄｖａｎｃｅｄ−ＥＵＴＲＡでは、上りリンクおよび下りリンクでそれぞれ最大１００ＭＨｚ帯域幅までの帯域を使用して、最大で下りリンク１Ｇｂｐｓ以上、上りリンク５００Ｍｂｐｓ以上の伝送レートの通信を行なうことが想定されている。【０００５】
Ａｄｖａｎｃｅｄ−ＥＵＴＲＡでは、ＥＵＴＲＡの移動局装置も収容できるようにＥＵＴＲＡと互換性のある帯域を複数個束ねることで、最大１００ＭＨｚ帯域を実現することが考えられている。尚、Ａｄｖａｎｃｅｄ−ＥＵＴＲＡでは、ＥＵＴＲＡの１つの２０ＭＨｚ以下の帯域をコンポーネントキャリア（Component Carrier : ＣＣ）と呼ばれている。コンポーネントキャリアは、セル（Cell）とも呼ばれている。また、２０ＭＨｚ以下の帯域を束ねることをキャリアアグリゲーション(Carrier Aggregation：ＣＡ)と呼ばれている（非特許文献１）。【０００６】
また、Ａｄｖａｎｃｅｄ−ＥＵＴＲＡでは、マクロセル(Macro Cell)とマクロセルの範囲内にあるスモールセル(Small Cell)、またはスモールセル同士でキャリアアグリゲーションと同様の技術を用いて同時に接続することを検討している。マクロセルの範囲内にあるとは、周波数が異なることも含む。非特許文献２では、基地局装置と移動局装置間の通信において、移動局装置がマクロセルとスモールセルと同時に接続する場合に、マクロセルで制御情報（制御平面情報：Control-plane information）を送信し、スモールセルでユーザー情報（ユーザー平面情報：User-plane information）を送信することが提案されている。非特許文献２で示されているマクロセルとスモールセルと移動局装置が同時に接続する技術のことをデュアルコネクト（Dual Connect（またはデュアルコネクティビティ（Dual Connectivity））とも言う。
【先行技術文献】
【非特許文献】
【０００７】
【非特許文献１】3GPP TS(Technical Specification)36.300、V11.5.0(2013-03)、Evolved Universal Terrestrial Radio Access(E-UTRA) and Evolved Universal Terrestrial Radio Access Network(E-UTRAN)、Overall description Stage2
【非特許文献２】3GPP TR(Technical Report)36.842、V0.2.0(2013-05)、Study on Small Cell Enhancements for E-UTRA and E-UTRAN - Higher layer aspects(release 12)
【発明の概要】
【発明が解決しようとする課題】
【０００８】
しかしながら、非特許文献２で示されたように基地局装置と移動局装置間の通信において、マクロセルの基地局装置と移動局装置間で制御情報を送受信し、スモールセルの基地局装置と移動局装置間でユーザー情報を送受信する場合、制御情報とユーザー情報を適切なセルで送信するように制御しなければならない。【０００９】
また、基地局装置間が遅延のある低速の回線で接続されているため、基地局装置間の回線の遅延を考慮して、マクロセルの基地局装置およびスモールセルの基地局装置のそれぞれが、移動局装置に対して独立して下りリンク及び上りリンクのデータのスケジューリング及び下りリンクデータの送信を行うことが考えられている。【００１０】
両基地局装置は、データスケジューリングが独立して行われるために、もう一方の基地局装置が移動局装置にいつデータ送信を行ったかわからない。このために、１つの基地局装置に対して移動局装置が行っていた間欠受信動作は、デュアルコネクト時の移動局装置の間欠受信動作としては効率が悪い。【００１１】
本発明の一態様は、このような事情に鑑みてなされたものであり、デュアルコネクト時に端末装置の間欠受信動作を効率良く動作させるための無線通信システム、基地局装置、端末装置、無線通信方法及び集積回路を提供することを目的とする。
【課題を解決するための手段】
【００１２】
（１）上記の目的を達成するために、本発明は、以下のような手段を講じた。すなわち、本発明の一態様は、第一の基地局装置と第二の基地局装置とが複数セルを介して端末装置と通信を行う無線通信システムであって、前記第一の基地局装置は、前記端末装置が前記第一の基地局装置に対して間欠受信動作を実行するための第一の間欠受信パラメータを前記第二の基地局装置に通知し、前記第二の基地局装置は、前記第一の間欠受信パラメータに基づいて、前記端末装置が前記第二の基地局装置に対して間欠受信動作を実行するための第二の間欠受信パラメータを決定する。【００１３】
（２）また、本発明の一態様は、（１）に記載の無線通信システムであって、前記第二の基地局装置は、前記第二の間欠受信パラメータを前記第一の基地局装置に通知する。【００１４】
（３）また、本発明の一態様は、（２）に記載の無線通信システムであって、前記第一の基地局装置は、前記端末装置に前記第一の間欠受信パラメータおよび前記第二の間欠受信パラメータを通知し、前記端末装置は、前記第一の間欠受信パラメータおよび前記第二の間欠受信パラメータを用いて、前記第一の基地局装置および前記第二の基地局装置の制御チャネルを周期的に監視し、前記第一の基地局装置の制御チャネルで自端末装置宛てのデータを検出した場合、前記第一の基地局装置に対応する前記制御チャネルの監視期間を延長し、前記第二の基地局装置の制御チャネルで自端末装置宛てのデータを検出した場合、前記第二の基地局装置に対応する前記制御チャネルの監視期間を延長する。【００１５】
（４）また、本発明の一態様は、（３）に記載の無線通信システムであって、前記第二の基地局装置は、前記第一の基地局装置と前記第二の基地局装置が同期していないことを考慮して、第二の間欠受信パラメータの間欠受信開始オフセットを決定する。【００１６】
（５）また、本発明の一態様は、（４）に記載の無線通信システムであって、前記第二の基地局装置は、第二の間欠受信パラメータの間欠受信周期を第一の間欠受信パラメータの間欠受信周期のｎ倍または１／ｎ倍に設定する。【００１７】
（６）また、本発明の一態様は、第一の基地局装置とともに複数セルを介して端末装置と通信を行う基地局装置であって、前記第一の基地局装置から前記端末装置が前記第一の基地局装置に対して間欠受信動作を実行するための第一の間欠受信パラメータを受信し、前記第一の間欠受信パラメータに基づいて、前記端末装置が自基地局装置に対して間欠受信動作を実行するための第二の間欠受信パラメータを決定する。【００１８】
（７）また、本発明の一態様は、（６）に記載の基地局装置であって、前記第一の基地局装置と自基地局装置が同期していないことを考慮して、第二の間欠受信パラメータの間欠受信開始オフセットを決定する。【００１９】
（８）また、本発明の一態様は、（７）に記載の基地局装置であって、第二の間欠受信パラメータの間欠受信周期を第一の間欠受信パラメータの間欠受信周期のｎ倍または１／ｎ倍に設定する。【００２０】
（９）また、本発明の一態様は、第一の基地局装置および第二の基地局装置と複数セルを介して通信を行う端末装置であって、前記第一の基地局装置から間欠受信パラメータを受信し、前記間欠受信パラメータを用いて、前記第一の基地局装置および前記第二の基地局装置の制御チャネルを周期的に監視し、前記第一の基地局装置の制御チャネルで自端末装置宛てのデータを検出した場合、前記第一の基地局装置に対応する前記制御チャネルの監視期間を延長し、前記第二の基地局装置の制御チャネルで自端末装置宛てのデータを検出した場合、前記第二の基地局装置に対応する前記制御チャネルの監視期間を延長する。【００２１】
（１０）また、本発明の一態様は、第一の基地局装置と第二の基地局装置とが複数セルを介して端末装置と通信を行う無線通信システムの無線通信方法であって、前記第一の基地局装置は、前記端末装置が前記第一の基地局装置に対して間欠受信動作を実行するための第一の間欠受信パラメータを前記第二の基地局装置に通知するステップと、前記第二の基地局装置は、前記第一の間欠受信パラメータに基づいて、前記端末装置が前記第二の基地局装置に対して間欠受信動作を実行するための第二の間欠受信パラメータを決定するステップと、前記第二の間欠受信パラメータを前記第一の基地局装置に通知するステップとを少なくとも含む。【００２２】
（１１）また、本発明の一態様は、第一の基地局装置とともに複数セルを介して端末装置と通信を行う基地局装置に適用される集積回路であって、前記第一の基地局装置から前記端末装置が前記第一の基地局装置に対して間欠受信動作を実行するための間欠受信パラメータを受信する手段と、前記間欠受信パラメータにもとづく前記端末装置の間欠受信動作を考慮して、前記端末装置に対する下りリンクおよび上りリンクのスケジューリングを行う手段を有する。【００２３】
（１２）また、本発明の一態様は、第一の基地局装置とともに複数セルを介して端末装置と通信を行う基地局装置に適用される集積回路であって、前記第一の基地局装置から前記端末装置が前記第一の基地局装置に対して間欠受信動作を実行するための第一の間欠受信パラメータを受信する手段と、前記第一の間欠受信パラメータに基づいて、前記端末装置が自基地局装置に対して間欠受信動作を実行するための第二の間欠受信パラメータを決定する手段を有する。【００２４】
（１３）また、本発明の一態様は、第一の基地局装置および第二の基地局装置と複数セルを介して通信を行う端末装置に適用される集積回路であって、前記第一の基地局装置から間欠受信パラメータを受信する手段と、前記間欠受信パラメータを用いて、前記第一の基地局装置および前記第二の基地局装置の制御チャネルを周期的に監視する手段と、前記第一の基地局装置の制御チャネルで自端末装置宛てのデータを検出した場合、前記第一の基地局装置に対応する前記制御チャネルの監視期間を延長する手段と、前記第二の基地局装置の制御チャネルで自端末装置宛てのデータを検出した場合、前記第二の基地局装置に対応する前記制御チャネルの監視期間を延長する手段を有する。
【発明の効果】
【００２５】
本発明の一態様によれば、デュアルコネクト時に移動局装置で効率のよい間欠受信動作を行うことが可能となる。また、基地局装置は移動局装置に対して効率のよいデータスケジューリングを行うことができる。
【図面の簡単な説明】
【００２６】
【図１】本発明の実施形態に係る移動局装置の構成の一例を示す図である。
【図２】本発明の実施形態に係る基地局装置の構成の一例を示す図である。
【図３】本発明のデュアルコネクト時の間欠受信動作の一例に示す図である。
【図４】本発明のデュアルコネクト時の間欠受信動作の一例を示す図である。
【図５】ＥＵＴＲＡにおける物理チャネル構成の一例を示す図である。
【図６】ＥＵＴＲＡにおける下りリンクのチャネル構成の一例を示す図である。
【図７】ＥＵＴＲＡにおける上りリンクのチャネル構成の一例を示す図である。
【図８】基地局装置及び移動局装置の制御情報に関する通信プロトコルの構成の一例を示す図である。
【図９】基地局装置及び移動局装置のユーザー情報に関する通信プロトコルの構成の一例を示す図である。
【図１０】従来の間欠受信動作の一例を示す図である。
【図１１】従来の間欠受信動作の一例を示す図である。
【図１２】デュアルコネクトの一例についての説明図である。
【図１３】デュアルコネクトの一例についての説明図である。
【発明を実施するための形態】
【００２７】
ＥＵＴＲＡの下りリンクとして、ＯＦＤＭ方式が採用されている。また、ＥＵＴＲＡの上りリンクとして、ＤＦＴ−ｓｐｒｅａｄ  ＯＦＤＭ方式のシングルキャリア通信方式が採用されている。
【００２８】
図５は、ＥＵＴＲＡの物理チャネル構成を示す図である。下りリンクの物理チャネルは、物理下りリンク共用チャネルＰＤＳＣＨ（Physical Downlink Shared Channel）、物理下りリンク制御チャネルＰＤＣＣＨ（Physical Downlink Control Channel）、物理報知チャネルＰＢＣＨ（Physical Broadcast Channel）により構成されている。この他に下りリンク同期信号、下りリンク参照信号の物理信号がある（非特許文献１）。
【００２９】
上りリンクの物理チャネルは、物理ランダムアクセスチャネルＰＲＡＣＨ（Physical Random Access Channel）、物理上りリンク共用チャネルＰＵＳＣＨ（Physical Uplink Shared Channel）、物理上りリンク制御チャネルＰＵＣＣＨ（Physical Uplink Control Channel）により構成されている（非特許文献１）。
【００３０】
図６は、ＥＵＴＲＡの下りリンクのチャネル構成を示す図である。図６に示す下りリンクのチャネルは、それぞれ論理チャネル、トランスポートチャネル、物理チャネルから構成されている。論理チャネルは、媒体アクセス制御（ＭＡＣ：Medium Access Control）層で送受信されるデータ送信サービスの種類を定義する。トランスポートチャネルは、無線インターフェースで送信されるデータがどのような特性をもち、そのデータがどのように送信されるのかを定義する。物理チャネルは、トランスポートチャネルによって物理層に伝達されたデータを運ぶ物理的なチャネルである。
【００３１】
下りリンクの論理チャネルには、報知制御チャネルＢＣＣＨ（Broadcast Control Channel）、ページング制御チャネルＰＣＣＨ（Paging Control Channel）、共通制御チャネルＣＣＣＨ（Common Control Channel）、専用制御チャネルＤＣＣＨ（Dedicated Control Channel）、専用トラフィックチャネルＤＴＣＨ（Dedicated Traffic Channel）が含まれる。
【００３２】
下りリンクのトランスポートチャネルには、報知チャネルＢＣＨ（Broadcast Channel）、ページングチャネルＰＣＨ（Paging Channel）、下りリンク共用チャネルＤＬ−ＳＣＨ（Downlink Shared Channel）が含まれる。
【００３３】
下りリンクの物理チャネルには、物理報知チャネルＰＢＣＨ（Physical Broadcast Channel）、物理下りリンク制御チャネルＰＤＣＣＨ（Physical Downlink Control Channel）、物理下りリンク共用チャネルＰＤＳＣＨ（Physical Downlink Shared Channel）が含まれる。これらのチャネルは、基地局装置と移動局装置の間で送受信される。
【００３４】
次に、論理チャネルについて説明する。報知制御チャネルＢＣＣＨは、システム制御情報を報知するために使用される下りリンクチャネルである。ページング制御チャネルＰＣＣＨは、ページング情報を送信するために使用される下りリンクチャネルであり、ネットワークが移動局装置のセル位置を知らないときに使用される。共通制御チャネルＣＣＣＨは、移動局装置とネットワーク間の制御情報を送信するために使用されるチャネルであり、ネットワークと無線リソース制御（ＲＲＣ：Radio Resource Control）接続を有していない移動局装置によって使用される。
【００３５】
専用制御チャネルＤＣＣＨは、１対１（point-to-point）の双方向チャネルであり、移動局装置とネットワーク間で個別の制御情報を送信するために利用するチャネルである。専用制御チャネルＤＣＣＨは、ＲＲＣ接続を有している移動局装置によって使用される。専用トラフィックチャネルＤＴＣＨは、１対１の双方向チャネルであり、１つの移動局装置専用のチャネルであって、ユーザー情報（ユニキャストデータ）の転送のために利用される。
【００３６】
次に、トランスポートチャネルについて説明する。報知チャネルＢＣＨは、固定かつ事前に定義された送信形式によって、セル全体に報知される。下りリンク共用チャネルＤＬ−ＳＣＨでは、ＨＡＲＱ（Hybrid Automatic Repeat Request：ハイブリッド自動再送要求）、動的適応無線リンク制御、間欠受信（ＤＲＸ：Discontinuous Reception）がサポートされ、セル全体に報知される必要がある。
【００３７】
ページングチャネルＰＣＨでは、ＤＲＸがサポートされ、セル全体に報知される必要がある。また、ページングチャネルＰＣＨは、トラフィックチャネルや他の制御チャネルに対して動的に使用される物理リソース、すなわち物理下りリンク共用チャネルＰＤＳＣＨにマッピングされる。
【００３８】
次に、物理チャネルについて説明する。物理報知チャネルＰＢＣＨは、４０ミリ秒周期で報知チャネルＢＣＨをマッピングする。物理下りリンク制御チャネルＰＤＣＣＨは、下りリンク共用チャネルＰＤＳＣＨの無線リソース割り当て（下りリンク割り当て：Downlink assignment）、下りリンクデータに対するハイブリッド自動再送要求（ＨＡＲＱ）情報、および、物理上りリンク共用チャネルＰＵＳＣＨの無線リソース割り当てである上りリンク送信許可（上りリンクグラント：Uplink grant）を移動局装置に通知するために使用されるチャネルである。物理下りリンク共用チャネルＰＤＳＣＨは、下りリンクデータまたはページング情報を送信するために使用されるチャネルである。
【００３９】
尚、物理下りリンク制御チャネルＰＤＣＣＨは、１サブフレームの先頭からリソースブロックの１〜３シンボルＯＦＤＭに配置され、下りリンク共用チャネルＰＤＳＣＨは、残りのＯＦＤＭシンボルに配置される。１サブフレームは、２つのリソースブロックから構成され、１フレームは、１０サブフレームで構成される。１リソースブロックは、１２本のサブキャリアと７つのＯＦＤＭシンボルから構成される。
【００４０】
また、基地局装置が物理下りリンク制御チャネルＰＤＣＣＨで移動局装置に物理下りリンク共用チャネルＰＤＳＣＨの無線リソース割り当てを移動局装置に通知した場合、移動局装置に割り当てられた物理下りリンク共用チャネルＰＤＳＣＨの領域は、下りリンク割り当てが通知された物理下りリンク制御チャネルＰＤＣＣＨと同じサブフレーム内の物理下りリンク共用チャネルＰＤＳＣＨである。
【００４１】
次に、チャネルマッピングについて説明する。図６に示されるように、下りリンクでは、次のようにトランスポートチャネルと物理チャネルのマッピングが行われる。報知チャネルＢＣＨは、物理報知チャネルＰＢＣＨにマッピングされる。ページングチャネルＰＣＨおよび下りリンク共用チャネルＤＬ−ＳＣＨは、物理下りリンク共用チャネルＰＤＳＣＨにマッピングされる。物理下りリンク制御チャネルＰＤＣＣＨは、物理チャネル単独で使用される。
【００４２】
また、下りリンクにおいて、次のように論理チャネルとトランスポートチャネルのマッピングが行われる。ページング制御チャネルＰＣＣＨは、ページングチャネルＰＣＨにマッピングされる。報知制御チャネルＢＣＣＨは、報知チャネルＢＣＨと下りリンク共用チャネルＤＬ−ＳＣＨにマッピングされる。共通制御チャネルＣＣＣＨ、専用制御チャネルＤＣＣＨ、専用トラフィックチャネルＤＴＣＨは、下りリンク共用チャネルＤＬ−ＳＣＨにマッピングされる。
【００４３】
図７は、ＥＵＴＲＡの上りリンクのチャネル構成を示す図である。図７に示す上りリンクのチャネルは、それぞれ論理チャネル、トランスポートチャネル、物理チャネルから構成されている。各チャネルの定義は下りリンクのチャネルと同じである。
【００４４】
上りリンクの論理チャネルには、共通制御チャネルＣＣＣＨ（Common Control Channel）、専用制御チャネルＤＣＣＨ（Dedicated Control Channel）、専用トラフィックチャネルＤＴＣＨ（Dedicated Traffic Channel）が含まれる。
【００４５】
上りリンクのトランスポートチャネルには、上りリンク共用チャネルＵＬ−ＳＣＨ（Uplink Shared Channel）とランダムアクセスチャネルＲＡＣＨ（Random Access Channel）が含まれる。
【００４６】
上りリンクの物理チャネルには、物理上りリンク制御チャネルＰＵＣＣＨ（Physical Uplink Control Channel）、物理上りリンク共用チャネルＰＵＳＣＨ（Physical Uplink Shared Channel）と物理ランダムアクセスチャネルＰＲＡＣＨ（Physical Random Access Channel）が含まれる。これらのチャネルは、基地局装置と移動局装置の間で送受信される。尚、物理ランダムアクセスチャネルＰＲＡＣＨは、主に移動局装置から基地局装置への送信タイミング情報を取得するためのランダムアクセスプリアンブル送信に使用される。ランダムアクセスプリアンブル送信はランダムアクセス手順の中で行なわれる。
【００４７】
次に、論理チャネルについて説明する。共通制御チャネルＣＣＣＨは、移動局装置とネットワーク間の制御情報を送信するために使用されるチャネルであり、ネットワークと無線リソース制御（ＲＲＣ：Radio Resource Control）接続を有していない移動局装置によって使用される。
【００４８】
専用制御チャネルＤＣＣＨは、１対１（point-to-point）の双方向チャネルであり、移動局装置とネットワーク間で個別の制御情報を送信するために利用するチャネルである。専用制御チャネルＤＣＣＨは、ＲＲＣ接続を有している移動局装置によって使用される。専用トラフィックチャネルＤＴＣＨは、１対１の双方向チャネルであり、１つの移動局装置専用のチャネルであって、ユーザー情報（ユニキャストデータ）の転送のために利用される。
【００４９】
次に、トランスポートチャネルについて説明する。上りリンク共用チャネルＵＬ−ＳＣＨでは、ＨＡＲＱ（Hybrid Automatic Repeat Request：ハイブリッド自動再送要求）、動的適応無線リンク制御、間欠送信（ＤＴＸ：Discontinuous Transmission）がサポートされる。ランダムアクセスチャネルＲＡＣＨでは、制限された制御情報が送信される。
【００５０】
次に、物理チャネルについて説明する。物理上りリンク制御チャネルＰＵＣＣＨは、下りリンクデータに対する応答情報（ＡＣＫ／ＮＡＣＫ）、下りリンクの無線品質情報および、上りリンクデータの送信要求（スケジューリングリクエスト：Scheduling Request：ＳＲ）を基地局装置に通知するために使用されるチャネルである。物理上りリンク共用チャネルＰＵＳＣＨは、上りリンクデータを送信するために使用されるチャネルである。物理ランダムアクセスチャネルは、ランダムアクセスプリアンブルを送信するために使用されるチャネルである。
【００５１】
次に、チャネルマッピングについて説明する。図７に示されるように、上りリンクでは、次のようにトランスポートチャネルと物理チャネルのマッピングが行われる。上りリンク共用チャネルＵＬ−ＳＣＨは、物理上りリンク共用チャネルＰＵＳＣＨにマッピングされる。ランダムアクセスチャネルＲＡＣＨは、物理ランダムアクセスチャネルＰＲＡＣＨにマッピングされる。物理上りリンク制御チャネルＰＵＣＣＨは、物理チャネル単独で使用される。
【００５２】
また、上りリンクにおいて、次のように論理チャネルとトランスポートチャネルのマッピングが行われる。共通制御チャネルＣＣＣＨ、専用制御チャネルＤＣＣＨ、専用トラフィックチャネルＤＴＣＨは、上りリンク共用チャネルＵＬ−ＳＣＨにマッピングされる。
【００５３】
３ＧＰＰでは、ＥＵＴＲＡの更なる進化のＡｄｖａｎｃｅｄ−ＥＵＴＲＡの議論も行われている。Ａｄｖａｎｃｅｄ−ＥＵＴＲＡでは、上りリンクおよび下りリンクでそれぞれ最大１００ＭＨｚ帯域幅までの帯域を使用して、最大で下りリンク１Ｇｂｐｓ以上、上りリンク５００Ｍｂｐｓ以上の伝送レートの通信を行なうことを想定している。
【００５４】
Ａｄｖａｎｃｅｄ−ＥＵＴＲＡでは、ＥＵＴＲＡの移動局装置も収容できるようにＥＵＴＲＡの２０ＭＨｚ以下の帯域を複数個束ねることで、最大で１００ＭＨｚ帯域を実現することを考えている。尚、Ａｄｖａｎｃｅｄ−ＥＵＴＲＡでは、ＥＵＴＲＡの１つの２０ＭＨｚ以下の帯域をコンポーネントキャリア（Component Carrier : CC）と呼んでいる（非特許文献１）。また、１つの下りリンクのコンポーネントキャリアと１つの上りリンクのコンポーネントキャリアを組み合わせて１つのセルを構成する。尚、１つの下りリンクコンポーネントキャリアのみでも１つのセルを構成できる。複数セルを束ねて、複数セルを介して基地局装置と移動局装置が通信を行うことをキャリアアグリゲーションと言う。
【００５５】
１つの基地局装置が、移動局装置の通信能力や通信条件にあった複数のセルを割り当て、割り当てた複数のセルを介して移動局装置と通信を行なうようにしている。尚、移動局装置に割り当てられた複数のセルは、１つのセルを第一セル（Primary Cell：ＰＣｅｌｌ）とそれ以外のセルを第二セル（Secondary Cell：ＳＣｅｌｌ）とに分類される。第一セルには、物理上りリンク制御チャネルＰＵＣＣＨの割り当てなど特別な機能が設定されている。
【００５６】
また、移動局装置の消費電力を少なくするために、割り当て直後の第二セルに対し、移動局装置は下りリンクの受信処理を行わない（または、物理下りリンク制御チャネルＰＤＣＣＨで指示された無線リソース割り当て情報に従わない）。そして、移動局装置は、基地局装置から第二セルに対してアクティベート（Activate）を指示された後、アクティベートを指示された第二セルに対して下りリンクの受信処理を開始する（または、物理下りリンク制御チャネルＰＤＣＣＨで指示された無線リソース割り当て情報に従う）ようにしている。
【００５７】
また、移動局装置は、基地局装置からアクティベートしている第二セルに対してデアクティベート（deactivate）を指示された後、デアクティベートを指示された第二セルに対して下りリンクの受信処理を停止する（または、物理下りリンク制御チャネルＰＤＣＣＨで指示された無線リソース割り当て情報に従わない）ようにしている。尚、基地局装置からアクティベートを指示され、下りリンクの受信処理を行っている第二セルをアクティベートセルと言い、また、基地局装置から移動局装置への割り当て直後の第二セル及びデアクティベートを指示され、下りリンクの受信処理を停止している第二セルをデアクティベートセルと言う。また、第一セルは、常にアクティベートセルである。
【００５８】
尚、Ａｄｖａｎｃｅｄ−ＥＵＴＲＡでは、物理下りリンク制御チャネルＰＤＣＣＨを拡張させた拡張物理下りリンク制御チャネルＥＰＤＣＣＨ（Enhanced Physical Downlink Control Channel）が追加されている。
【００５９】
図８は、ＥＵＴＲＡの移動局装置及び基地局装置の制御データを扱うプロトコルスタック（Protocol stack）である。図９は、ＥＵＴＲＡの移動局装置及び基地局装置のユーザーデータを扱うプロトコルスタックである。図８及び図９について以下で説明する。
【００６０】
物理層（Physical layer：ＰＨＹ層）は、物理チャネル（Physical Channel）を利用して上位層に伝送サービスを提供する。ＰＨＹ層は、上位の媒体アクセス制御層（Medium Access Control layer：ＭＡＣ層）とトランスポートチャネルで接続される。トランスポートチャネルを介して、ＭＡＣ層とＰＨＹ層とレイヤ（layer：層）間でデータが移動する。移動局装置と基地局装置のＰＨＹ層間において、物理チャネルを介してデータの送受信が行われる。
【００６１】
ＭＡＣ層は、多様な論理チャネルを多様なトランスポートチャネルにマッピングを行う。ＭＡＣ層は、上位の無線リンク制御層（Radio Link Control layer：ＲＬＣ層）とは論理チャネルで接続される。論理チャネルは、伝送される情報の種類によって大きく分けられ、制御情報を伝送する制御チャネルとユーザー情報を伝送するトラフィックチャネルに分けられる。ＭＡＣ層は、間欠受送信（ＤＲＸ・ＤＴＸ）を行うためにＰＨＹ層の制御を行う機能、送信電力の情報を通知する機能、ＨＡＲＱ制御を行う機能等を持っている。
【００６２】
また、ＭＡＣ層は、各論理チャネルに対応する送信バッファのデータ量を通知する機能を持っている。この機能をバッファステータスレポート（Buffer Status Report：ＢＳＲ）と言う。ＢＳＲでは、各論理チャネルを論理チャネルグループ（Logical Channel Group：ＬＣＧ）に割り当て、各ＬＣＧに対する送信バッファ量をＭＡＣ層のメッセージとして基地局装置に通知する。ＢＳＲがトリガされる条件の例として、１つの定期的なタイマーが満了した場合にＢＳＲがトリガされ、ＢＳＲを通知する。
【００６３】
また、ＭＡＣ層は、キャリアアグリゲーションを行う場合、セルのアクティベーション／デアクティベーションを行うためにＰＨＹ層の制御を行う機能及び上りリンクの送信タイミングを管理するためにＰＨＹ層の制御行う機能も持っている。
【００６４】
ＲＬＣ層は、上位層から受信したデータを分割（Segmentation）及び連結(Concatenation)し、下位層が適切にデータ送信できるようにデータサイズを調節する。また、ＲＬＣ層は、各データが要求するＱｏＳ（Quality of Service）を保証するための機能も持つ。すなわち、ＲＬＣ層は、データの再送制御等の機能を持つ。
【００６５】
パケットデータコンバージェンスプロトコル層（Packet Data Convergence Protocol layer：ＰＤＣＰ層）は、ユーザーデータであるＩＰパケットを無線区間で効率的に伝送するために、不要な制御情報の圧縮を行うヘッダ圧縮機能を持つ。また、ＰＤＣＰ層は、データの暗号化の機能も持つ。
【００６６】
無線リソース制御層（Radio Resource Control layer：ＲＲＣ層）は、制御情報のみ定義される。ＲＲＣ層は、無線ベアラ（Radio Bearer：ＲＢ）の設定・再設定を行い、論理チャネル、トランスポートチャネル及び物理チャネルの制御を行う。ＲＢは、シグナリグ無線ベアラ（Signaling Radio Bearer：ＳＲＢ）とデータ無線ベアラ（Data Radio Bearer：ＤＲＢ）とに分けられ、ＳＲＢは、制御情報であるＲＲＣメッセージを送信する経路として利用される。ＤＲＢは、ユーザー情報を送信する経路として利用される。基地局装置と移動局装置のＲＲＣ層間で各ＲＢの設定が行われる。
【００６７】
尚、ＰＨＹ層は一般的に知られる開放型システム間相互接続（Open Systems Interconnection：ＯＳＩ）モデルの階層構造の中で第一層の物理層に対応し、ＭＡＣ層、ＲＬＣ層及びＰＤＣＰ層はＯＳＩモデルの第二層であるデータリンク層に対応し、ＲＲＣ層はＯＳＩモデルの第三層であるネットワーク層に対応する。
【００６８】
間欠受信（ＤＲＸ：Discontinuous Reception）制御／間欠送信（ＤＴＸ：Discontinuous Transmission）制御について以下に説明する。ＥＵＴＲＡにおいて、基地局装置による各移動局装置への無線リソース割り当て（無線リソーススケジューリング）を効率的に行うため、また、移動局装置の消費電力低減などのために間欠受信制御／間欠送信制御が行われる。間欠受信制御は、複数種類のタイマーを用いて管理される。移動局装置は、基地局装置から間欠受信（ＤＲＸ）パラメータ（間欠受信開始オフセット、間欠受信周期（ＤＲＸ  ｃｙｃｌｅ）、間欠受信期間タイマー(ｏｎ  Ｄｕｒａｔｉｏｎ  ｔｉｍｅｒ)、受信延長期間タイマー（Ｉｎａｃｔｉｖｉｔｙ  ｔｉｍｅｒ）、再送信期間タイマー（Ｒｅｔｒａｎｓｍｉｓｓｉｏｎ  ｔｉｍｅｒ）等）を受信すると各タイマーを用いて間欠受信制御を開始する。
【００６９】
図１０に間欠受信時の動作例を示す。間欠受信周期とは、間欠受信を行う周期であり、間欠受信期間の開始位置から次の間欠受信期間の開始位置までの期間の長さを示す。間欠受信期間とは、１つの間欠受信周期の中で物理下りリンク制御チャネルＰＤＣＣＨ、または、拡張物理下りリンク制御チャネルＥＰＤＣＣＨを監視（モニタ：monitor）する期間（１つの間欠受信周期の中で物理下りリンク制御チャネルＰＤＣＣＨ、または、拡張物理下りリンク制御チャネルＥＰＤＣＣＨの受信処理を行う期間）である。間欠受信期間タイマーは、間欠受信の開始位置でスタートされる。
【００７０】
再送信期間とは、物理下りリンク共用チャネルＰＤＳＣＨにおいての下りリンクデータ受信に失敗し、基地局装置から再送信データが送信される可能性のある期間である。移動局装置は再送信期間に物理下りリンク制御チャネルＰＤＣＣＨ、または、拡張物理下りリンク制御チャネルＥＰＤＣＣＨを監視する。
【００７１】
受信延長期間とは、物理下りリンク制御チャネルＰＤＣＣＨ、または、拡張物理下りリンク制御チャネルＥＰＤＣＣＨで自移動局装置宛ての下りリンク割り当て／上りリンクグラントを検出した場合に物理下りリンク制御チャネルＰＤＣＣＨ、または、拡張物理下りリンク制御チャネルＥＰＤＣＣＨの監視を延長する期間である。尚、受信延長期間タイマーは、物理下りリンク制御チャネルＰＤＣＣＨ、または、拡張物理下りリンク制御チャネルＥＰＤＣＣＨで自移動局装置宛ての下りリンク割り当て／上りリンクグラントを検出したサブフレームの次のサブフレームでスタートされる。間欠受信開始オフセットは、間欠受信期間の開始位置に関する情報である。
【００７２】
尚、間欠受信周期には、長期間間欠受信周期（Ｌｏｎｇ  ＤＲＸ  ｃｙｃｌｅ）と短期間間欠受信周期（Ｓｈｏｒｔ  ＤＲＸ  ｃｙｃｌｅ）がある。基地局装置から両方の間欠受信周期が設定された場合、移動局装置は、最初に短期間間欠受信周期で間欠受信制御を行い、一定期間の後、長期間間欠受信周期の間欠受信制御を行う。また、各タイマーのタイマー値は、サブフレームの数で表わされる。
【００７３】
間欠受信制御中、移動局装置は、アクティブタイム（Active time）の間、物理下りリンク制御チャネルＰＤＣＣＨ、または、拡張物理下りリンク制御チャネルＥＰＤＣＣＨを監視する。尚、アクティブタイムとは、ＤＲＸパラメータで与えられた間欠受信期間、再送信期間、受信延長期間等の期間を示す。また、アクティブタイムは、ＤＲＸパラメータで設定された期間以外に移動局装置の状態によって決定される期間を示す。
【００７４】
キャリアアグリゲーション中の移動局装置は、全てのセルに対して同じ間欠受信動作を行う。つまり、図１１に示すようにキャリアアグリゲーション中の移動局装置は、同じ間欠受信周期、間欠受信期間で物理下りリンク制御チャネルＰＤＣＣＨ、または、拡張物理下りリンク制御チャネルＥＰＤＣＣＨを監視する。
【００７５】
そして、移動局装置が１つのセルの物理下りリンク制御チャネルＰＤＣＣＨ、または、拡張物理下りリンク制御チャネルＥＰＤＣＣＨで自移動局装置宛ての下りリンク割り当て／上りリンクグラントを受信した場合、キャリアアグリゲーション中の全てのセルで物理下りリンク制御チャネルＰＤＣＣＨ、または、拡張物理下りリンク制御チャネルＥＰＤＣＣＨの監視期間を設定された受信延長期間分だけ監視を延長する。
【００７６】
また、Ａｄｖａｎｃｅｄ−ＥＵＴＲＡでは、図１２のように移動局装置が、２つの基地局装置とデュアルコネクト（Dual Connect）して同時に両基地局装置と通信を行うことも検討している。デュアルコネクトとは、マクロセルの基地局装置とスモールセルの基地局装置との間が光ファイバーのような無遅延とみなせる高速なバックボーン回線（ｂａｃｋｈａｕｌとも称する）ではなく、遅延のある低速なバックボーン回線を用いてで接続されているときに、移動局装置がマクロセルの基地局装置とスモールセルの基地局装置と接続して、移動局装置と両基地局装置が複数セルを介してデータの送受信を行うことを仮定している（非特許文献２）。
【００７７】
キャリアアグリゲーションと同様に、デュアルコネクトでは、マクロセルを第一セル（ＰＣｅｌｌ）、スモールセルを第二セル（ＳＣｅｌｌ）として、移動局装置と基地局装置間で通信が行われる。また、デュアルコネクトでは、マクロセルの基地局装置と移動局装置間で制御データの送受信を行い、スモールセルの基地局装置と移動局装置間でユーザーデータの送受信を行ってもよい。さらに、制御データおよびユーザーデータよりさらに細かいデータの種類（例えば、ＱｏＳまたは論理チャネル等）に基づいて、データ送受信する基地局装置を変更してもよい。
【００７８】
尚、各基地局装置の配置関係により移動局装置での下りリンクコンポーネントキャリア毎の受信タイミングと、上りリンクコンポーネントキャリア毎の基地局装置への送信タイミングの両方または一方がセル毎に異なる場合、上りリンクの送信タイミングが同じとなるセルをグループ化して通信を行う。この送信タイミングが同じとなるセルをグループ化することを送信タイミンググループ(Timing Advance Group)という。移動局装置のＭＡＣ層は、送信タイミンググループを管理するためにＰＨＹ層の制御を行う機能も持っている。
【００７９】
デュアルコネクトでは、基地局装置間が遅延のある低速の回線で接続されているため、基地局装置間の回線の遅延を考慮して、マクロセルの基地局装置およびスモールセルの基地局装置のそれぞれが、移動局装置に対して独立して下りリンク及び上りリンクのデータスケジューリング及び下りリンクデータの送信を行う。
【００８０】
両基地局装置は、データスケジューリングが独立して行われるために、もう一方の基地局装置が移動局装置にいつデータ送信を行ったかわからない。このために、間欠受信動作中の移動局装置に対して自基地局装置がデータ送信を行った場合には、移動局装置が受信期間を延長することを認識できるが、もう一方の基地局装置からのデータ送信による受信期間延長を認識することができない。そのため、１つの基地局装置に対して移動局装置が行っていた従来の間欠受信動作をデュアルコネクト時の間欠受信動作としてそのまま適用すると、効率が悪くなる。
【００８１】
（実施形態）
[構成説明]
図１は、本発明の実施形態に係る移動局装置の構成を示す図である。移動局装置１−１〜１−３は、データ生成部１０１、送信データ記憶部１０３、送信ＨＡＲＱ処理部１０５、送信処理部１０７、無線部１０９、受信処理部１１１、受信ＨＡＲＱ処理部１１３、ＭＡＣ情報抽出部１１５、ＰＨＹ制御部１１７、ＭＡＣ制御部１１９、データ処理部１２１、および、ＲＲＣ制御部１２３から構成される。
【００８２】
上位層からのユーザーデータおよびＲＲＣ制御部１２３からの制御データは、データ生成部１０１に入力される。データ生成部１０１は、ＰＤＣＰ層、ＲＬＣ層の機能を持つ。データ生成部１０１は、ユーザーデータのＩＰパケットのヘッダ圧縮やデータの暗号化、データの分割及び結合等の処理を行い、データサイズを調節する。データ生成部１０１は、処理を行ったデータを送信データ記憶部１０３に出力する。
【００８３】
送信データ記憶部１０３は、データ生成部１０１から入力されたデータを蓄積し、ＭＡＣ制御部１１９からの指示に基づいて指示されたデータを指示されたデータ量分だけ送信ＨＡＲＱ処理部１０５に出力する。また、送信データ記憶部１０３は、蓄積されたデータのデータ量の情報をＭＡＣ制御部１１９に出力する。
【００８４】
送信ＨＡＲＱ処理部１０５は、入力データに符号化を行い、符号化したデータにパンクチャ処理を行う。そして、送信ＨＡＲＱ処理部１０５は、パンクチャしたデータを送信処理部１０７に出力し、符号化したデータを保存する。送信ＨＡＲＱ処理部１０５は、ＭＡＣ制御部１１９からデータの再送を指示された場合、保存してある符号化したデータから前回に行なったパンクチャと異なるパンクチャ処理を行い、パンクチャしたデータを送信処理部１０７に出力する。
【００８５】
送信処理部１０７は、送信ＨＡＲＱ処理部１０５から入力されたデータに変調・符号化を行なう。送信処理部１０７は、変調・符号化されたデータをＤＦＴ（Discrete Fourier Transform（離散フーリエ変換））−ＩＦＦＴ（Inverse Fast Fourier Transform（逆高速フーリエ変換））処理し、処理後、ＣＰ（Cyclic prefix）を挿入し、ＣＰ挿入後のデータを上りリンクの各コンポーネントキャリア（セル）の物理上りリンク共用チャネル（ＰＵＳＣＨ）に配置し、無線部１０９に出力する。
【００８６】
また、送信処理部１０７は、ＰＨＹ制御部１１７から受信データの応答指示があった場合、ＡＣＫまたはＮＡＣＫ信号を生成し、生成した信号を物理上りリンク制御チャネル（ＰＵＣＣＨ）に配置し、無線部１０９に出力する。送信処理部１０７は、ＰＨＹ制御部１１７からランダムアクセスプリアンブルの送信指示があった場合、ランダムアクセスプリアンブルを生成し、生成した信号を物理ランダムアクセスチャネル（ＰＲＡＣＨ）に配置し、無線部１０９に出力する。
【００８７】
無線部１０９は、送信処理部１０７から入力されたデータをＰＨＹ制御部１１７から指示された送信位置情報（送信セル情報）の無線周波数にアップコンバートし、送信電力を調整して送信アンテナからデータを送信する。また、無線部１０９は、受信アンテナより受信した無線信号をダウンコンバートし、受信処理部１１１に出力する。
【００８８】
受信処理部１１１は、無線部１０９から入力された信号をＦＦＴ（Fast Fourier Transform（高速フーリエ変換））処理、復号化、復調処理等を行なう。受信処理部１１１は、物理下りリンク制御チャネルＰＤＣＣＨまたは物理拡張下りリンク制御チャネルＥＰＤＣＣＨの復調を行い、自移動局装置の下りリンク割り当て情報を検出した場合、下りリンク割り当て情報にもとづいて、物理下りリンク共用チャネルＰＤＳＣＨの復調を行い、下りリンク割り当て情報を取得したことをＭＡＣ制御部１１９に出力する。
【００８９】
受信処理部１１１は、復調した物理下りリンク共用チャネルＰＤＳＣＨのデータを受信ＨＡＲＱ処理部１１３に出力する。受信処理部１１１は、物理下りリンク制御チャネルＰＤＣＣＨまたは物理拡張下りリンク制御チャネルＥＰＤＣＣＨの復調を行い、上りリンク送信許可情報（Uplink grant:上りリンクグラント）、上りリンク送信データの応答情報（ＡＣＫ／ＮＡＣＫ）を検出した場合、取得した応答情報をＭＡＣ制御部１１９に出力する。尚、上りリンク送信許可情報は、データの変調・符号化方式、データサイズ情報、ＨＡＲＱ情報、送信位置情報などがある。
【００９０】
受信ＨＡＲＱ処理部１１３は、受信処理部１１１からの入力データの復号処理を行い、復号処理に成功した場合、データをＭＡＣ情報抽出部１１５に出力する。受信ＨＡＲＱ処理部１１３は、入力データの復号処理に失敗した場合、復号処理に失敗したデータを保存する。受信ＨＡＲＱ処理部１１３は、再送データを受信した場合、保存してあるデータと再送データを合成し、復号処理を行う。また、受信ＨＡＲＱ処理部１１３は、入力データの復号処理の成否をＭＡＣ制御部１１９に通知する。
【００９１】
ＭＡＣ情報抽出部１１５は、受信ＨＡＲＱ処理部１１３から入力されたデータからＭＡＣ層（Medium Access Control layer）の制御データを抽出し、抽出したＭＡＣ制御情報をＭＡＣ制御部１１９に出力する。ＭＡＣ情報抽出部１１５は、残りのデータをデータ処理部１２１に出力する。データ処理部１２１は、ＰＤＣＰ層、ＲＬＣ層の機能を持ち、圧縮されたＩＰヘッダの解凍機能や暗号化されたデータの復号機能、データの分割及び結合等の処理を行い、データを元の形に戻す。データ処理部１２１は、ＲＲＣメッセージとユーザーデータに分け、ＲＲＣメッセージをＲＲＣ制御部１２３に出力し、ユーザーデータを上位層に出力する。
【００９２】
ＰＨＹ制御部１１７は、ＭＡＣ制御部１１９からの指示により送信処理部１０７、無線部１０９、および、受信処理部１１１を制御する。ＰＨＹ制御部１１７は、ＭＡＣ制御部１１９から通知された変調・符号化方式、送信電力情報および送信位置情報（送信セル情報）から変調・符号化方式および送信位置を送信処理部１０７に通知し、送信セルの周波数情報および送信電力情報を無線部１０９に通知する。また、ＰＨＹ制御部１１７は、ＭＡＣ制御部１１９の指示により、送信処理部１０７、無線部１０９および受信処理部１１１の電源ＯＮ／ＯＦＦ制御を行う。
【００９３】
ＭＡＣ制御部１１９は、ＭＡＣ層の機能を持ち、ＲＲＣ制御部１２３や下位層などから取得した情報をもとにＭＡＣ層の制御を行う。ＭＡＣ制御部１１９は、ＲＲＣ制御部１２３から指定されたデータ送信制御設定および送信データ記憶部１０３から取得したデータ量情報および受信処理部１１１から取得した上りリンク送信許可情報をもとにデータ送信先およびデータ送信優先順位を決定し、送信するデータに関する情報を送信データ記憶部１０３に通知する。また、ＭＡＣ制御部１１９は、送信ＨＡＲＱ処理部１０５にＨＡＲＱ情報を通知し、ＰＨＹ制御部１１７に変調・符号化方式および送信位置情報（送信セル情報）を出力する。
【００９４】
また、ＭＡＣ制御部１１９は、受信処理部１１１から上りリンク送信データに対する応答情報を取得し、応答情報がＮＡＣＫ（否応答）を示していた場合、送信ＨＡＲＱ処理部１０５とＰＨＹ制御部１１７に再送を指示する。ＭＡＣ制御部１１９は、受信ＨＡＲＱ処理部１１３からデータの復号処理の成否情報を取得した場合、ＰＨＹ制御部１１７にＡＣＫまたはＮＡＣＫ信号を送信するように指示する。
【００９５】
ＭＡＣ制御部１１９は、ＭＡＣ情報抽出部１１５から入力されたＭＡＣ制御情報の中でセル（または、コンポーネントキャリア）のアクティベーション／デアクティベーション指示情報及び間欠受信（ＤＲＸ）制御情報を取得した場合、アクティベーション／デアクティベーション制御及び間欠受信制御を行うために無線部１０９、送信処理部１０７及び受信処理部１１１の動作開始／動作停止制御を行うためにＰＨＹ制御部１１７を制御する。
【００９６】
ＭＡＣ制御部１１９は、ＲＲＣ制御１２３から取得した間欠受信パラメータの各タイマーを各セル（または各基地局装置）に適用する。ＭＡＣ制御部１１９は、間欠受信開始オフセットと間欠受信周期にもとづいて、間欠受信開始フレームを決定する。ＭＡＣ制御部１１９は、間欠受信開始フレームになった場合、全セルの間欠受信期間タイマーをスタートして、ＰＨＹ制御部１１７に送信処理部１０７、無線部１０９、受信処理部１１１の動作開始を指示する。間欠受信期間タイマーが満了すると、ＭＡＣ制御部１１９は、ＰＨＹ制御部１１７に送信処理部１０７、無線部１０９、受信処理部１１１の動作停止を指示する。
【００９７】
デュアルコネクト状態の場合、間欠受信期間タイマーが動作中にＭＡＣ制御部１１９が受信処理部１１１から下りリンク割り当て／上りリンクグラント情報を取得した場合、ＭＡＣ制御部１１９は、下りリンク割り当て／上りリンクグラント情報がどの基地局装置からの下りリンク割り当て／上りリンクグラント情報かを考慮して、適切なセルの受信延長期間タイマーをスタートする。
【００９８】
デュアルコネクト状態でない場合、間欠受信期間タイマーが動作中にＭＡＣ制御部１１９が受信処理部１１１から下りリンク割り当て／上りリンクグラント情報を取得した場合、全セルの受信延長期間タイマーをスタートし、ＰＨＹ制御部１１７に送信処理部１０７、無線部１０９、受信処理部１１１の動作開始を指示する。間欠受信期間タイマーが満了すると、ＭＡＣ制御部１１９は、ＰＨＹ制御部１１７に送信処理部１０７、無線部１０９、受信処理部１１１の動作停止を指示する。
【００９９】
尚、ＭＡＣ制御部１１９は、受信延長期間タイマーまたは間欠受信期間タイマーのどちらかのタイマーが動作中の場合、ＰＨＹ制御部１１７に送信処理部１０７、無線部１０９、受信処理部１１１の動作停止を指示しない。ＭＡＣ制御部１１９は、受信延長期間タイマーおよび間欠受信タイマーの両方のタイマーが満了した場合、ＰＨＹ制御部１１７に送信処理部１０７、無線部１０９、受信処理部１１１の動作停止を指示する。
【０１００】
ＭＡＣ制御部１１９は、下りリンクデータの受信に失敗し、基地局装置３−１または基地局装置３−２から再送信データが送信される可能性があると判断した場合、再送信期間タイマーをスタートし、ＰＨＹ制御部１１７に送信処理部１０７、無線部１０９、受信処理部１１１の動作開始を指示する。再送信期間タイマーが満了すると、ＭＡＣ制御部１１９は、ＰＨＹ制御部１１７に送信処理部１０７、無線部１０９、受信処理部１１１の動作停止を指示する。
【０１０１】
ＭＡＣ制御部１１９は、ＭＡＣ情報抽出部１１５から入力されたＭＡＣ制御情報の中で送信タイミング情報をＰＨＹ制御部１１７へ出力する。ＭＡＣ制御部１１９は、上りリンク送信タイミングを管理し、ＰＨＹ制御部１１７を制御する。
【０１０２】
ＭＡＣ制御部１１９は、送信タイミングタイマーを用いて上りリンクの送信タイミングを有効・無効を管理する。ＭＡＣ制御部１１９は、セル毎または送信タイミンググループ毎に送信タイミングタイマーを持ち、セル毎または送信タイミンググループ毎に送信タイミング情報を適用した場合に対応する送信タイミングタイマーをスタートまたはリスタートさせる。
【０１０３】
ＭＡＣ制御部１１９は、送信データ記憶部１０３に蓄積されているデータ量情報であるバッファステータスレポート（ＢＳＲ）を作成し、送信データ記憶部１０３に出力する。また、ＭＡＣ制御部１１９は、セル毎の送信電力情報であるパワーヘッドルームレポート（Power Headroom Report：ＰＨＲ）を作成し、送信データ記憶部１０３に出力する。
【０１０４】
ＲＲＣ制御部１２３は、基地局装置３−１との接続・切断処理、キャリアアグリゲーションの設定、デュアルコネクトの設定、制御データおよびユーザーデータのデータ送信制御設定など基地局装置３−１及び基地局装置３−２と通信を行うための各種設定を行う。ＲＲＣ制御部１２３は、各種設定に伴う上位層との情報のやり取りを行い、前記各種設定に伴う下位層の制御を行う。
【０１０５】
ＲＲＣ制御部１２３は、ＲＲＣメッセージを作成し、作成したＲＲＣメッセージをデータ生成部１０１に出力する。ＲＲＣ制御部１２３は、データ処理部１２１から入力されたＲＲＣメッセージを解析する。ＲＲＣ制御部１２３は、自移動局装置の送信能力を示したメッセージを作成し、データ生成部１０１に出力する。また、ＲＲＣ制御部１２３は、ＭＡＣ層に必要な情報をＭＡＣ制御部１１９に出力し、物理層に必要な情報をＰＨＹ制御部１１７に出力する。
【０１０６】
ＲＲＣ制御部１２３は、間欠受信パラメータ（間欠受信開始オフセット、間欠受信周期（ＤＲＸ  ｃｙｃｌｅ）、間欠受信期間タイマー(ｏｎ  Ｄｕｒａｔｉｏｎ  ｔｉｍｅｒ)、受信延長期間タイマー（Ｉｎａｃｔｉｖｉｔｙ  ｔｉｍｅｒ）、再送信期間タイマー（Ｒｅｔｒａｎｓｍｉｓｓｉｏｎ  ｔｉｍｅｒ）等）を取得した場合、ＭＡＣ制御部１１９に間欠受信パラメータを出力する。また、ＲＲＣ制御部１２３は、基地局装置３−１と基地局装置３−２とのデュアルコネクトでの通信を行うと認識した場合、デュアルコネクト状態をＭＡＣ制御部１１９に通知する。
【０１０７】
尚、送信処理部１０７、無線部１０９、受信処理部１１１、ＰＨＹ制御部１１７は、物理層の動作を行い、送信データ記憶部１０３、送信ＨＡＲＱ処理部１０５、受信ＨＡＲＱ処理部１１３、ＭＡＣ情報抽出部１１５、ＭＡＣ制御部１１９は、ＭＡＣ層の動作を行い、データ生成部１０１及びデータ処理部１２１は、ＲＬＣ層及びＰＤＣＰ層の動作を行い、ＲＲＣ制御部１２３はＲＲＣ層の動作を行う。
【０１０８】
図２は、本発明の実施形態に係る基地局装置の構成を示す図である。基地局装置３−１、または、基地局装置３−２は、データ生成部２０１、送信データ記憶部２０３、送信ＨＡＲＱ処理部２０５、送信処理部２０７、無線部２０９、受信処理部２１１、受信ＨＡＲＱ処理部２１３、ＭＡＣ情報抽出部２１５、ＰＨＹ制御部２１７、ＭＡＣ制御部２１９、データ処理部２２１、ＲＲＣ制御部２２３、基地局装置間通信部２２５、ＭＭＥ通信部２２７、および、ＧＷ通信部２２９から構成される。
【０１０９】
ＧＷ通信部２２９からのユーザーデータおよびＲＲＣ制御２２３からの制御データは、データ生成部２０１に入力される。データ生成部２０１は、ＰＤＣＰ層、ＲＬＣ層の機能を持ち、ユーザーデータのＩＰパケットのヘッダ圧縮やデータの暗号化、データの分割及び結合等の処理を行い、データサイズを調節する。データ生成部２０１は、処理を行ったデータとデータの論理チャネル情報を送信データ記憶部２０３に出力する。
【０１１０】
送信データ記憶部２０３は、データ生成部２０１から入力されたデータをユーザー毎に蓄積し、ＭＡＣ制御部２１９からの指示に基づいて指示されたユーザーのデータを指示されたデータ量分だけ送信ＨＡＲＱ処理部２０５に出力する。また、送信データ記憶部２０３は、蓄積されたデータのデータ量の情報をＭＡＣ制御部２１９に出力する。
【０１１１】
送信ＨＡＲＱ処理部２０５は、入力データに符号化を行い、符号化したデータにパンクチャ処理を行う。そして、送信ＨＡＲＱ処理部２０５は、パンクチャしたデータを送信処理部２０７に出力し、符号化したデータを保存する。送信ＨＡＲＱ処理部２０５は、ＭＡＣ制御部２１９からデータの再送を指示された場合、保存してある符号化したデータから前回に行なったパンクチャと異なるパンクチャ処理を行い、パンクチャしたデータを送信処理部２０７に出力する。
【０１１２】
送信処理部２０７は、送信ＨＡＲＱ処理部２０５から入力されたデータに変調・符号化を行なう。送信処理部２０７は、変調・符号化されたデータを各セルの物理下りリンク制御チャネルＰＤＣＣＨ、下りリンク同期信号、物理報知チャネルＰＢＣＨ、物理下りリンク共用チャネルＰＤＳＣＨなどの信号及び各チャネルにマッピングし、マッピングしたデータを直列／並列変換、ＩＦＦＴ（Inverse Fast Fourier Transform（逆高速フーリエ変換））変換、ＣＰ挿入などのＯＦＤＭ信号処理を行い、ＯＦＤＭ信号を生成する。
【０１１３】
そして、送信処理部２０７は、生成したＯＦＤＭ信号を無線部２０９に出力する。また、送信処理部２０７は、ＭＡＣ制御部２１９から受信データの応答指示があった場合、ＡＣＫまたはＮＡＣＫ信号を生成し、生成した信号を物理下りリンク制御チャネルＰＤＣＣＨに配置し、無線部２０９に出力する。
【０１１４】
無線部２０９は、送信処理部２０７から入力されたデータを無線周波数にアップコンバートし、送信電力を調整して送信アンテナからデータを送信する。また、無線部２０９は、受信アンテナより受信した無線信号をダウンコンバートし、受信処理部２１１に出力する。受信処理部２１１は、無線部２０９から入力された信号をＦＦＴ（Fast Fourier Transform（高速フーリエ変換））処理、復号化、復調処理等を行なう。
【０１１５】
受信処理部２１１は、復調したデータの中で物理上りリンク共用チャネルＰＵＳＣＨのデータを受信ＨＡＲＱ処理部２１３に出力する。また、受信処理部２１１は、復調したデータの中で物理上りリンク制御チャネルＰＵＣＣＨから取得した制御データの下りリンク送信データの応答情報（ＡＣＫ／ＮＡＣＫ）、下りリンク無線品質情報（ＣＱＩ）及び上りリンク送信要求情報（スケジューリングリクエスト）をＭＡＣ制御部２１９に出力する。
【０１１６】
受信ＨＡＲＱ処理部２１３は、受信処理部２１１からの入力データの復号処理を行い、復号処理に成功した場合、データをＭＡＣ情報抽出部２１５に出力する。受信ＨＡＲＱ処理部２１３は、入力データの復号処理に失敗した場合、復号処理に失敗したデータを保存する。受信ＨＡＲＱ処理部２１３は、再送データを受信した場合、保存してあるデータと再送データを合成し、復号処理を行う。また、受信ＨＡＲＱ処理部２１３は、入力データの復号処理の成否をＭＡＣ制御部２１９に通知する。
【０１１７】
ＭＡＣ情報抽出部２１５は、受信ＨＡＲＱ処理部２１３から入力されたデータからＭＡＣ層の制御データを抽出し、抽出した制御情報をＭＡＣ制御部２１９に出力する。ＭＡＣ情報抽出部２１５は、残りのデータをデータ処理部２２１に出力する。データ処理部２２１は、ＰＤＣＰ層、ＲＬＣ層の機能を持ち、圧縮されたＩＰヘッダの解凍機能や暗号化されたデータの復号機能、データの分割及び結合等の処理を行い、データを元の形に戻す。データ処理部２２１は、ＲＲＣメッセージとユーザーデータに分け、ＲＲＣメッセージをＲＲＣ制御部２２３に出力し、ユーザーデータを上位層に出力する。
【０１１８】
ＭＡＣ制御部２１９は、ＭＡＣ層の機能を持ち、ＲＲＣ制御部２２３や下位層などから取得した情報をもとにＭＡＣ層の制御を行う。ＭＡＣ制御部２１９は、下りリンクおよび上りリンクのスケジューリング処理を行う。ＭＡＣ制御部２１９は、受信処理部２１１から入力された下りリンク送信データの応答情報（ＡＣＫ／ＮＡＣＫ）、下りリンク無線品質情報（ＣＱＩ）及び上りリンク送信要求情報（スケジューリングリクエスト）、ＭＡＣ情報抽出部２１５から入力された制御情報及び送信データ記憶部２０３から取得したユーザー毎のデータ量情報、および、移動局装置１−１の受信動作状態から下りリンク及び上りリンクのスケジューリング処理を行う。ＭＡＣ制御部２１９は、スケジュール結果を送信処理部２０７に出力する。
【０１１９】
また、ＭＡＣ制御部２１９は、受信処理部２１１から上りリンク送信データに対する応答情報を取得し、応答情報がＮＡＣＫ（否応答）を示していた場合、送信ＨＡＲＱ処理部２０５と送信処理部２０７に再送を指示する。ＭＡＣ制御部２１９は、受信ＨＡＲＱ処理部２１３からデータの復号処理の成否情報を取得した場合、送信処理部２０７にＡＣＫまたはＮＡＣＫ信号を送信するように指示する。
【０１２０】
また、ＭＡＣ制御部２１９は、移動局装置１−１に割り当てたセル（または、コンポーネントキャリア）のアクティベーション／デアクティベーション処理や上りリンク送信タイミングの管理等を行う。ＲＲＣ制御部２２３から取得した間欠受信パラメータから移動局装置１−１の受信動作状態を判断する。
【０１２１】
ＲＲＣ制御部２２３は、移動局装置１−１との接続・切断処理、キャリアアグリゲーションの設定、デュアルコネクトの設定、移動局装置１−１の制御データおよびユーザーデータをどのセルで送受信するかのデータ送信制御設定など移動局装置１−１と通信を行うための各種設定を行い、前記各種設定に伴う上位層との情報のやり取りを行い、前記各種設定に伴う下位層の制御を行う。
【０１２２】
ＲＲＣ制御部２２３は、各種ＲＲＣメッセージを作成し、作成したＲＲＣメッセージをデータ生成部２０１に出力する。ＲＲＣ制御部２２３は、データ処理部２２１から入力されたＲＲＣメッセージを解析する。ＲＲＣ制御部２２３は、移動局装置１−１から移動局装置の送受信能力を示したメッセージを取得した場合、移動局装置の送受信能力情報に基づいて移動局装置１−１に適したキャリアアグリゲーションの設定、またはデュアルコネクトの設定を行う。
【０１２３】
また、ＲＲＣ制御部２２３は、ＭＡＣ層に必要な情報をＭＡＣ制御部２１９に出力し、物理層に必要な情報をＰＨＹ制御部２１７に出力する。また、ＲＲＣ制御部２２３は、ハンドオーバー、または、デュアルコネクトを行う場合、基地局装置間通信部２２５およびＭＭＥ通信部２２７に必要な情報を通知する。デュアルコネクトを行う場合、移動局装置１−１に適用する間欠受信パラメータも基地局装置間通信部２２５に通知する。
【０１２４】
基地局装置間通信部２２５は、他の基地局装置と通信し、ＲＲＣ制御部２２３から入力された基地局装置間の制御メッセージを他の基地局装置に送信する。また、基地局装置間通信部２２５は、他の基地局装置からの基地局装置間の制御メッセージを受信し、受信した制御メッセージをＲＲＣ制御部２２３に出力する。基地局装置間の制御メッセージは、ハンドオーバーに関する制御メッセージ、デュアルコネクトに関する制御メッセージなどがある。
【０１２５】
ＭＭＥ通信部２２７は、ＭＭＥ（Mobility Management Entity）と通信し、ＲＲＣ制御部２２３から入力された基地局装置−ＭＭＥ間の制御メッセージをＭＭＥに送信する。また、ＭＭＥ通信部２２７は、ＭＭＥからの基地局装置−ＭＭＥ間の制御メッセージを受信し、受信した制御メッセージをＲＲＣ制御部２２３に出力する。基地局装置−ＭＭＥ間の制御メッセージには、パススイッチ要求メッセージ、パススイッチ要求応答メッセージなどがある。
【０１２６】
ＧＷ間通信部２２９は、ＧＷと通信し、ＧＷから送られる移動局装置のユーザーデータを受信し、受信したデータをデータ生成部２０１に出力する。また、ＧＷ間通信部２２９は、データ処理部２２１から入力された移動局装置のユーザーデータをＧＷに送信する。
【０１２７】
尚、送信処理部２０７、無線部２０９、受信処理部２１１は、ＰＨＹ層の動作を行い、送信データ記憶部２０３、送信ＨＡＲＱ処理部２０５、受信ＨＡＲＱ処理部２１３、ＭＡＣ情報抽出部２１５、ＭＡＣ制御部２１９は、ＭＡＣ層の動作を行い、データ生成部２０１及びデータ処理部２２１は、ＲＬＣ層及びＰＤＣＰ層の動作を行い、ＲＲＣ制御部２２３はＲＲＣ層の動作を行う。
【０１２８】
[動作説明]
図５〜図９で説明したような無線通信システムを想定する。そして、図５が示すように、基地局装置３−１と複数の移動局装置１−１、１−２、１−３とが通信を行なう。また、図１２で説明したマクロセルの基地局装置３−１およびスモールセルの基地局装置３−２と移動局装置１−１が複数のセルを介して通信を行なうような無線通信システムを想定している。
【０１２９】
図１３に示すように移動局装置１−１は、デュアルコネクトで基地局装置３−１と基地局装置３−２と接続する。マクロセルの基地局装置３−１とＭＭＥ（Mobility Management Entity）間では、少なくとも移動局装置１−１の制御情報（Control-plane information）の送受信が行われる。スモールセルの基地局装置３−２とＧＷ（Gateway）間は、少なくとも移動局装置１−１のユーザー情報（User-plane information）の送受信が行われる。マクロセルの基地局装置３−１とスモールセルの基地局装置３−２の間では、移動局装置１−１を制御するための制御情報の送受信が行われる。
【０１３０】
図３は、本発明の実施形態に係るデュアルコネクト時の間欠受信動作の例を示した図である。尚、マクロセルの基地局装置を基地局装置３−１、スモールセルの基地局装置を基地局装置３−２として以下に示す。マクロセルの基地局装置３−１はセル１とセル２で移動局装置１−１と通信を行い、スモールセルの基地局装置３−２はセル３とセル４で移動局装置１−１と通信を行う。つまり、移動局装置１−１は、セル１、セル２、セル３およびセル４を同時に用いて、基地局装置３−１および基地局装置３−２と通信を行う場合の例を示す。
【０１３１】
基地局装置３−１は、基地局装置３−２とのデュアルコネクトでの移動局装置１−１との通信を決定後、または、移動局装置１−１に対してデュアルコネクト設定を終えた後、基地局装置３−２に基地局装置３−１が移動局装置１−１に設定する間欠受信パラメータ（間欠受信開始オフセット、間欠受信周期（ＤＲＸ  ｃｙｃｌｅ）、間欠受信期間タイマー(ｏｎ  Ｄｕｒａｔｉｏｎ  ｔｉｍｅｒ)、受信延長期間タイマー（Ｉｎａｃｔｉｖｉｔｙ  ｔｉｍｅｒ）、再送信期間タイマー（Ｒｅｔｒａｎｓｍｉｓｓｉｏｎ  ｔｉｍｅｒ）等）を通知する。基地局装置３−１は、基地局装置３−２に間欠受信パラメータ送信後に、移動局装置１−１に間欠受信パラメータを通知する。
【０１３２】
移動局装置１−１は、基地局装置３−１から間欠受信パラメータを受信すると、全てのセルに対して同じ間欠受信パラメータを設定する。基地局装置３−１と基地局装置３−２は、移動局装置１−１に設定した間欠受信パラメータにもとづく移動局装置１−１の間欠受信期間、受信延長期間、再送信期間に下りリンクデータおよび上りリンクデータ送信のスケジューリングを行う。移動局装置１−１は、基地局装置３−１から受信した間欠受信パラメータにもとづいて間欠受信を開始する。
【０１３３】
図３で示すように、移動局装置１−１は、セル１、セル２、セル３およびセル４に対して同じ受信開始位置、同じ間欠受信期間、同じ間欠受信周期でセル１、セル２、セル３およびセル４の物理下りリンク制御チャネルＰＤＣＣＨまたは拡張物理下りリンク制御チャネルＥＰＤＣＣＨを監視する。移動局装置１−１は、間欠受信期間の開始位置Ｔ１、および、Ｔ１以降の受信開始位置（Ｔ２、Ｔ３、Ｔ４、Ｔ５、・・・）を間欠受信周期と間欠受信開始オフセットにもとづいて決定する。
【０１３４】
移動局装置１−１は、間欠受信期間の開始位置（図３ではＴ１、Ｔ２、Ｔ３、Ｔ４、Ｔ５）になった場合、間欠受信期間タイマーをスタートさせて、セル１、セル２、セル３およびセル４の物理下りリンク制御チャネルＰＤＣＣＨまたは拡張物理下りリンク制御チャネルＥＰＤＣＣＨの監視を開始する。
【０１３５】
例えば、移動局装置１−１は、Ｔ４でセル１の物理下りリンク制御チャネルＰＤＣＣＨで自局宛ての下りリンク割り当て／上りリンクグラント情報を検出した場合、セル１とセル２の物理下りリンク制御チャネルＰＤＣＣＨまたは拡張物理下りリンク制御チャネルＥＰＤＣＣＨの監視期間を受信延長期間だけ延長する。また、移動局装置１−１は、Ｔ３でセル４の物理下りリンク制御チャネルＰＤＣＣＨで自局宛ての下りリンク割り当て／上りリンクグラント情報を検出した場合、セル３とセル４の物理下りリンク制御チャネルＰＤＣＣＨまたは拡張物理下りリンク制御チャネルＥＰＤＣＣＨの監視期間を受信延長期間だけ延長する。
【０１３６】
つまり、移動局装置１−１は、基地局装置３−１のセル（セル１またはセル２）で自局宛てのデータを受信（検出）した場合、基地局装置３−１のセル（セル１およびセル２）に対して監視期間を延長する。すなわち、移動局装置１−１は、第１の基地局装置のセルで自局宛てのデータを受信した場合、第１の基地局装置のセルが属する第１のセルグループ内の全てのセルに対して監視期間を延長する。また、移動局装置１−１は、基地局装置３−２のセル（セル３またはセル４）で自局宛てのデータを受信した場合、基地局装置３−２のセル（セル３およびセル４）に対して監視期間を延長する。すなわち、移動局装置１−１は、第２の基地局装置のセルで自局宛てのデータを受信した場合、第２の基地局装置のセルが属する第２のセルグループ内の全てのセルに対して監視期間を延長する。セルグループは、送信タイミンググループであってもよく、または、その他の識別子によって分けられるグループであってもよい。
【０１３７】
基地局装置３−１は、Ｔ４で移動局装置１−１に対する下りリンク割り当て／上りリンクグラント情報を送信した場合、移動局装置１−１が基地局装置３−１のセル（セル１およびセル２）の監視期間を受信延長期間だけ延長すると判断して、受信延長期間に移動局装置１−１に下りリンクデータおよび上りリンクデータのスケジューリングを行う。基地局装置３−２は、Ｔ３で移動局装置１−１に対する下りリンク割り当て／上りリンクグラント情報を送信した場合、移動局装置１−１が基地局装置３−２のセル（セル３およびセル４）の監視期間を受信延長期間だけ延長すると判断して、受信延長期間に移動局装置１−１に下りリンクデータおよび上りリンクデータのスケジューリングを行う。
【０１３８】
つまり、基地局装置３−１または基地局装置３−２のそれぞれは、移動局装置１−１に対する下りリンク割り当て／上りリンクグラント情報を送信した場合、移動局装置１−１が基地局装置３−１のセル（セル１およびセル２）、または、基地局装置３−２のセル（セル３およびセル４）監視期間を受信延長期間だけ延長すると判断して、受信延長期間に移動局装置１−１に下りリンクデータおよび上りリンクデータのスケジューリングを行う。
【０１３９】
尚、移動局装置１−１は、デュアルコネクトが設定されたと判断した場合、または、受信延長期間を基地局装置毎（またはセル毎、または、セルグループ毎）に制御すると判断した場合、上記に示したような基地局装置毎に監視期間を延長する間欠受信制御を行うようにする。移動局装置１−１は、デュアルコネクトが設定されたと判断しない場合、または、受信延長期間を基地局装置毎（またはセル毎、または、セルグループ毎）に制御しないと判断した場合、あるセルで物理下りリンク制御チャネルＰＤＣＣＨで自局宛ての下りリンク割り当て／上りリンクグラント情報を受信したとき、全てのセルに対して物理下りリンク制御チャネルＰＤＣＣＨまたは拡張物理下りリンク制御チャネルＥＰＤＣＣＨの監視期間を受信延長期間だけ延長する。
【０１４０】
また、移動局装置１−１は、基地局装置３−１から割り当てられた各セルの周波数帯域で、セル毎に監視期間を延長する間欠受信制御を行うようにするにしても良い。つまり、移動局装置１−１は、基地局装置３−１から割り当てられたセルの周波数帯域が同じ周波数帯域（例えば、割り当てられたセルの周波数が同じ２ＧＨｚ帯域である。）のセルの場合、あるセルで物理下りリンク制御チャネルＰＤＣＣＨで自局宛ての下りリンク割り当て／上りリンクグラント情報を受信した時、割り当てられた全てのセルに対して物理下りリンク制御チャネルＰＤＣＣＨまたは拡張物理下りリンク制御チャネルＥＰＤＣＣＨの監視期間を受信延長期間だけ延長する。
【０１４１】
移動局装置１−１は、基地局装置３−１から割り当てられたセルの周波数帯域が異なる周波数帯域（例えば、割り当てられたセルの周波数が２ＧＨｚ帯域または３ＧＨｚ帯域である。）のセルの場合、あるセルで物理下りリンク制御チャネルＰＤＣＣＨで自局宛ての下りリンク割り当て／上りリンクグラント情報を受信した時、異なる周波数帯域毎に監視期間を受信延長期間だけ延長するようにする。
【０１４２】
基地局装置３−１または基地局装置３−２は、デュアルコネクトの設定時にデュアルコネクトを示す情報を通知しても良い。また、基地局装置３−１または基地局装置３−２は、間欠受信パラメータにデュアルコネクトを示す情報、または、受信延長期間を基地局装置毎（またはセル毎、または、セルグループ毎）に制御することを示す情報を含めて通知するようにしても良い。あるいは、移動局装置１−１は、デュアルコネクトの設定時に設定されるセルやセルグループ毎のデータの種類（例えば制御データとユーザーデータ、ＱｏＳや論理チャネル）に基づいて、受信延長期間を前記セル毎、またはセルグループ毎に制御するようにしてもよい。
【０１４３】
このようにすることで、デュアルコネクトの設定時の移動局装置１−１は、下りリンク割り当て／上りリンクグラントを指示した基地局装置以外の基地局装置のセルの受信処理を行わなくても良くなり、電力消費が軽減される。
【０１４４】
次に基地局装置３−１と基地局装置３−２のそれぞれの基地局装置が間欠受信パラメータを決定する場合について示す。
【０１４５】
基地局装置３−１は、基地局装置３−１が移動局装置１−１に対して設定する間欠受信パラメータ（間欠受信開始オフセット、間欠受信周期（ＤＲＸ  ｃｙｃｌｅ）、間欠受信期間タイマー(ｏｎ  Ｄｕｒａｔｉｏｎ  ｔｉｍｅｒ)、受信延長期間タイマー（Ｉｎａｃｔｉｖｉｔｙ  ｔｉｍｅｒ）、再送信期間タイマー（Ｒｅｔｒａｎｓｍｉｓｓｉｏｎ  ｔｉｍｅｒ）等）を決定し、決定した間欠受信パラメータを基地局装置３−２に通知する。
【０１４６】
基地局装置３−２は、基地局装置３−１から間欠受信パラメータを受信した場合、基地局装置３−１が移動局装置１−１に対して設定する間欠受信パラメータにもとづいて、基地局装置３−２が移動局装置１−１に対して設定する間欠受信パラメータを決定する。
【０１４７】
例えば、基地局装置３−２は、基地局装置３−２が移動局装置１−１に対して設定する間欠受信周期を移動局装置１−１に対して設定する間欠受信周期のｎ倍（または，１／ｎ倍：ただし、ｎは整数）に設定する。また、基地局装置３−１と基地局装置３−２が同期していない（基地局装置間で同時刻に送信する無線フレームのフレーム番号が異なる）場合、基地局装置３−２は、間欠受信の開始位置が移動局装置１−１で同じ間欠受信開始位置になるような間欠受信開始オフセット値に設定する。尚、受信延長期間と再送信期間について、基地局装置３−２は、基地局装置３−１が移動局装置１−１に対して設定するタイマー値と基地局装置３−２が移動局装置１−１に対して設定するタイマー値とで異なるタイマー値を設定するようにしても良い。
【０１４８】
基地局装置３−１および基地局装置３−２は、それぞれの基地局装置が決定した間欠受信パラメータを個別に移動局装置１−１に通知する。また、基地局装置３−２は、決定した間欠受信パラメータを基地局装置３−１に通知し、基地局装置３−１が、それぞれの基地局装置が決定した間欠受信パラメータをまとめて、移動局装置１−１に通知するようにしても良い。また、基地局装置３−２が間欠受信パラメータを基地局装置３−１に通知し、基地局装置３−２から通知された間欠受信パラメータにもとづいて、基地局装置３−１が間欠受信パラメータを決定するようにしても良い。
【０１４９】
図４は、基地局装置３−１と基地局装置３−２の間欠受信パラメータが異なる場合における、移動局装置１−１の間欠受信動作例を示した図である。図４は、基地局装置３−１のセル（セル１およびセル２）に対する間欠受信周期（間欠受信周期１）は、基地局装置３−２のセル（セル３およびセル４）に対する間欠受信周期（間欠受信周期２）の２倍で、Ｔ１１、Ｔ１２、Ｔ１３で基地局装置３−１のセル（セル１およびセル２）と基地局装置３−２のセル（セル３およびセル４）に対して間欠受信期間が一致する例を示している。基地局装置３−２は、基地局装置３−１から通知された間欠受信パラメータにもとづいて、図４に示すような基地局装置３−１および基地局装置３−２のセルで一部の間欠受信期間が一致するような間欠受信パラメータを決定する。
【０１５０】
移動局装置１−１は、基地局装置３−１から通知された間欠受信パラメータを基地局装置３−１のセル（セル１およびセル２）に適用し、基地局装置３−２から通知された間欠受信パラメータを基地局装置３−２のセル（セル３およびセル４）に適用する。移動局装置１−１は、Ｔ１２でセル４の物理下りリンク制御チャネルＰＤＣＣＨで自局宛ての下りリンク割り当て／上りリンクグラント情報を受信した場合、セル３とセル４の物理下りリンク制御チャネルＰＤＣＣＨまたは拡張物理下りリンク制御チャネルＥＰＤＣＣＨの監視期間を受信延長期間だけ延長する。
【０１５１】
つまり、移動局装置１−１は、基地局装置３−１のセル（セル１またはセル２）で自局宛てのデータを受信した場合、基地局装置３−１のセル（セル１およびセル２）に対して監視期間を延長する。また、移動局装置１−１は、基地局装置３−２のセル（セル３またはセル４）で自局宛てのデータを受信した場合、基地局装置３−２のセル（セル３およびセル４）に対して監視期間を延長する。
【０１５２】
このようにすることで、基地局装置３−１または基地局装置３−２は、各基地局装置の通信状況に応じた間欠受信動作を移動局装置１−１に実行させることができる。また、デュアルコネクトの設定時の移動局装置１−１は、基地局装置毎に間欠受信動作が行えるので、電力消費が軽減される。
【０１５３】
上記には間欠受信動作について例を示したが、間欠受信制御の開始および停止する制御についても同様である。基地局装置３−１または基地局装置３−２のそれぞれが、間欠受信制御の停止、または、間欠受信制御の再開を示した制御情報を通知した場合、移動局装置１−１は、各基地局装置のセルに対して間欠受信制御を停止する、または、間欠受信制御を再開する。
【０１５４】
つまり、基地局装置３−１が移動局装置１−１に間欠受信制御の停止／間欠受信制御の再開の制御情報を通知し、移動局装置１−１が間欠受信制御中の場合、移動局装置１−１は、基地局装置３−１のセル（セル１およびセル２）に対する間欠受信制御を停止する。移動局装置１−１が間欠受信制御停止中の場合、移動局装置１−１は、基地局装置３−１のセル（セル１およびセル２）に対する間欠受信制御を再開する。
【０１５５】
また、基地局装置３−２が移動局装置１−１に間欠受信制御の停止／間欠受信制御の再開の制御情報を通知し、移動局装置１−１が間欠受信制御中の場合、移動局装置１−１は、基地局装置３−２のセル（セル３およびセル４）に対する間欠受信制御を停止する。移動局装置１−１が間欠受信制御停止中の場合、移動局装置１−１は、基地局装置３−２のセル（セル３およびセル４）に対する間欠受信制御を再開する。
【０１５６】
また、基地局装置３−１または基地局装置３−２のそれぞれが、間欠受信周期の変更の制御情報を通知した場合、移動局装置１−１は、各基地局装置のセルに対して間欠受信制御を短期間間欠受信周期での間欠受信制御から長期間間欠受信周期での間欠受信制御に変更する。
【０１５７】
つまり、基地局装置３−１が移動局装置１−１に間欠受信周期変更の制御情報を通知し、移動局装置１−１が短期間間欠受信周期での間欠受信制御中の場合、移動局装置１−１は、基地局装置３−１のセル（セル１およびセル２）に対する間欠受信周期を長期間間欠受信周期に変更して間欠受信制御を行う。移動局装置１−１が長期間間欠受信周期での間欠受信制御中の場合、移動局装置１−１は、基地局装置３−１のセル（セル１およびセル２）に対する間欠受信周期を短期間間欠受信周期に変更して間欠受信制御を行う。
【０１５８】
また、基地局装置３−２が移動局装置１−１に間欠受信周期変更の制御情報を通知し、移動局装置１−１が短期間間欠受信周期での間欠受信制御中の場合、移動局装置１−１は、基地局装置３−２のセル（セル３およびセル４）に対する間欠受信周期を長期間間欠受信周期に変更して間欠受信制御を行う。移動局装置１−１が長期間間欠受信周期での間欠受信制御中の場合、移動局装置１−１は、基地局装置３−２のセル（セル３およびセル４）に対する間欠受信周期を短期間間欠受信周期に変更して間欠受信制御を行う。
【０１５９】
また、移動局装置１−１が基地局装置３−１または基地局装置３−２に物理上りリンク共用チャネルＰＵＳＣＨの上りリンク送信要求のスケジューリングリクエストを送信した場合、移動局装置１−１は、基地局装置３−１のセル（セル１およびセル２）または基地局装置３−２のセル（セル３およびセル４）に対してアクティブタイムを設定して、基地局装置３−１のセル（セル１およびセル２）または基地局装置３−２のセル（セル３およびセル４）の物理下りリンク制御チャネルＰＤＣＣＨまたは拡張物理下りリンク制御チャネルＥＰＤＣＣＨを監視する。
【０１６０】
つまり、移動局装置１−１が基地局装置３−１に物理上りリンク共用チャネルＰＵＳＣＨの上りリンク送信要求のスケジューリングリクエストを送信した場合、移動局装置１−１は、基地局装置３−１のセル（セル１およびセル２）に対してアクティブタイムを設定して、間欠受信制御中であっても基地局装置３−１のセル（セル１およびセル２）の物理下りリンク制御チャネルＰＤＣＣＨまたは拡張物理下りリンク制御チャネルＥＰＤＣＣＨを監視する。
【０１６１】
また、移動局装置１−１が基地局装置３−２に物理上りリンク共用チャネルＰＵＳＣＨの上りリンク送信要求のスケジューリングリクエストを送信した場合、移動局装置１−１は、基地局装置３−２のセル（セル３およびセル４）に対してアクティブタイムを設定して、間欠受信制御中であっても基地局装置３−２のセル（セル３およびセル４）の物理下りリンク制御チャネルＰＤＣＣＨまたは拡張物理下りリンク制御チャネルＥＰＤＣＣＨを監視する。
【０１６２】
そして、移動局装置１−１が物理下りリンク制御チャネルＰＤＣＣＨまたは拡張物理下りリンク制御チャネルＥＰＤＣＣＨで上りリンクグラントを受信し、上りリンクグラントで示された物理上りリンク共用チャネルＰＵＳＣＨでバッファステータスレポートを含む上りリンクデータを送信した場合、スケジューリングリクエストによるアクティブタイムを終了する。
【０１６３】
以上、図面を参照してこの発明の一実施形態について詳しく説明してきたが、具体的な構成は上述のものに限られることはなく、この発明の要旨を逸脱しない範囲内において様々な設計変更等をすることが可能である。例えば、基地局装置３−１はマクロセル以外のセルであってもよく、例えばスモールセルであってもよい。
【０１６４】
実施形態では、端末装置もしくは通信装置の一例として移動局装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来ることは言うまでもない。
【０１６５】
また、説明の便宜上、実施形態の移動局装置１−１、基地局装置３−１および基地局装置３−２を機能的なブロック図を用いて説明したが、移動局装置１−１、基地局装置３−１および基地局装置３−２の各部の機能またはこれらの機能の一部を実現するためのプログラムをコンピュータ読み取り可能な記録媒体に記録して、この記録媒体に記録されたプログラムをコンピュータシステムに読み込ませ、実行することにより移動局装置や基地局装置の制御を行なっても良い。尚、ここでいう「コンピュータシステム」とは、ＯＳや周辺機器等のハードウェアを含むものとする。
【０１６６】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに、前述した機能をコンピュータシステムに既に記録されているプログラムとの組み合わせで実現できるものであっても良い。
【０１６７】
また、上記各実施形態に用いた各機能ブロックは、典型的には集積回路であるＬＳＩとして実現してもよい。各機能ブロックは個別にチップ化してもよいし、一部または全部を集積してチップ化してもよい。また、集積回路化の手法はＬＳＩに限らず専用回路または汎用プロセッサで実現しても良い。また、半導体技術の進歩によりＬＳＩに代替する集積回路化の技術が出現した場合、当該技術による集積回路を用いることも可能である。
【０１６８】
以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【０１６９】
１−１〜１−３  移動局装置
３−１、３−２  基地局装置
１０１、２０１  データ生成部
１０３、２０３  送信データ記憶部
１０５、２０５  送信ＨＡＲＱ処理部
１０７、２０７  送信処理部
１０９、２０９  無線部
１１１、２１１  受信処理部
１１３、２１３  受信ＨＡＲＱ処理部
１１５、２１５  ＭＡＣ情報抽出部
１１７、２１７  ＰＨＹ制御部
１１９、２１９  ＭＡＣ制御部
１２１、２２１  データ処理部
１２３、２２３  ＲＲＣ制御部
２２５          基地局装置間通信部
２２７          ＭＭＥ通信部
２２９          ＧＷ通信部
【図１】
2014208622.tif 000003
【図２】
2014208622.tif 000004
【図３】
2014208622.tif 000005
【図４】
2014208622.tif 000006
【図５】
2014208622.tif 000007
【図６】
2014208622.tif 000008
【図７】
2014208622.tif 000009
【図８】
2014208622.tif 000010
【図９】
2014208622.tif 000011
【図１０】
2014208622.tif 000012
【図１１】
2014208622.tif 000013
【図１２】
2014208622.tif 000014
【図１３】
2014208622.tif 000015
【国際調査報告】
2014208622.tif 000016
2014208622.tif 000017
2014208622.tif 000018
2014208622.tif 000019